(57)【要約】【課題】  無線通信システムにおける割り込み送信指示を監視する方法及び装置を提供する【解決手段】  方法及び装置が、UE（ユーザ機器）及び／又は基地局の観点から開示される。一実施例において、方法は、基地局が、第１のサービングセル及び第２のサービングセルを用いてUEを構成するステップを含む。方法は、基地局が、第１のサービングセルにおいて下りリンク制御信号を監視するための周期性を用いてUEを構成するステップをさらに含み、基地局は、周期性が第２のサービングセルの非整数個のシンボルを含むようにUEを構成することを許容されず、下りリンク制御信号は、第２のサービングセルのためのプリエンプション指示（PI）を含む。【選択図】  図１５
2019140664.tif 000002
【特許請求の範囲】
【請求項１】
ユーザ機器（UE）の方法であって、
前記UEが、前記UEが第１のサービングセル及び第２のサービングセルと通信する構成を受信するステップと、
前記UEが、前記第１のサービングセルにおいて下りリンク制御信号を監視するための周期性の構成を受信するステップと、
を含み、
前記周期性は、前記第２のサービングセルの整数個のシンボルを含み、前記下りリンク制御信号は、前記第２のサービングセルのためのプリエンプション指示（PI）を含む、
方法。
【請求項２】
前記UEは、前記周期性が前記第２のサービングセルの非整数個のシンボルを含むような構成を受信するように予期しない、請求項１に記載の方法。
【請求項３】
前記第２のサービングセルのシンボル数は、前記第２のサービングセルのための前記PIにより示されるシンボル数である、請求項１に記載の方法。
【請求項４】
前記周期性内の前記第２のサービングセルのシンボル数は、前記第２のサービングセルのアクティブ化された帯域幅部分（BWP）のサブキャリア間隔（SCS）に依存する、請求項１に記載の方法。
【請求項５】
前記第１のサービングセルが60KHzサブキャリア間隔を用いて構成され、前記第２のサービングセルが15KHzサブキャリア間隔を用いて構成される場合、前記UEは、前記第１のサービングセルにおいて前記DCIを受信するために２スロット又は４スロットの周期性を用いて基地局により構成される、請求項１に記載の方法。
【請求項６】
前記第１のサービングセルが60KHzサブキャリア間隔を用いて構成され、前記第２のサービングセルが15KHzサブキャリア間隔を用いて構成される場合、前記UEは、前記第１のサービングセルにおいて前記DCIを受信するために１スロットを用いた周期性の構成を受信するように予期されない、請求項１に記載の方法。
【請求項７】
前記下りリンク制御信号は、前記第１のサービングセルのためのPIを含む、請求項１に記載の方法。
【請求項８】
基地局の方法であって、
前記基地局が、第１のサービングセル及び第２のサービングセルを用いてUEを構成するステップと、
前記基地局が、前記第１のサービングセルにおいて下りリンク制御信号を監視するための周期性を用いて前記UEを構成ステップと、
を含み、
前記基地局は、前記周期性が前記第２のサービングセルの非整数個のシンボルを含むように前記UEを構成することを許容されず、前記下りリンク制御信号は、前記第２のサービングセルのためのプリエンプション指示（PI）を含む、
方法。
【請求項９】
前記周期性内の前記第２のサービングセルのシンボル数は、前記第２のサービングセルのアクティブ化された帯域幅部分（BWP）のサブキャリア間隔（SCS）に依存する、請求項８に記載の方法。
【請求項１０】
前記第１のサービングセルが60KHzサブキャリア間隔を用いて構成され、前記第２のサービングセルが15KHzサブキャリア間隔を用いて構成される場合、前記基地局は、前記UEを、前記第１のサービングセルにおいて前記DCIを受信するために２スロット又は４スロットの周期性を用いて構成する、請求項８に記載の方法。
【請求項１１】
前記第１のサービングセルが60KHzサブキャリア間隔を用いて構成され、前記第２のサービングセルが15KHzサブキャリア間隔を用いて構成される場合、前記基地局は、前記UEを、前記第１のサービングセルにおいて前記DCIを受信するために１スロットを用いた周期性で構成しない、請求項８に記載の方法。
【請求項１２】
前記基地局が、前記UEを、前記第１のサービングセルにおいてDCI（下りリンク制御情報）を受信するための周期性で構成するとき、前記基地局は、前記周期性と前記第１のサービングセルとを併せて決定し、それにより、前記第２のサービングセルの整数個のシンボルが前記周期性内にある、請求項８に記載の方法。
【請求項１３】
前記基地局が、前記UEを、前記第１のサービングセルにおいてDCI（下りリンク制御情報）を受信するための周期性で構成するとき、前記基地局は、前記周期性と、前記第１のサービングセル及び前記第２のサービングセルについて構成されるサブキャリア間隔とを併せて決定し、それにより、前記第２のサービングセルの整数個のシンボルが前記周期性内にある、請求項８に記載の方法。
【請求項１４】
前記基地局が、前記UEを、前記第１のサービングセルにおいてDCI（下りリンク制御情報）を受信するための周期性で構成するとき、前記基地局は、前記周期性と、１つのサービングセルにおいて２つのPIを監視するように前記UEを構成するかどうかとを併せて決定する、請求項８に記載の方法。
【請求項１５】
前記下りリンク制御信号は、前記第１のサービングセルのためのPIを含む、請求項８に記載の方法。
【請求項１６】
基地局であって、
制御回路と、
前記制御回路に設置されたプロセッサと、
前記制御回路に設置され、前記プロセッサに結合されたメモリと、
を含み、
前記プロセッサは、前記メモリに記憶されたプログラムコードを実行して
第１のサービングセル及び第２のサービングセルを用いてUEを構成し、
前記第１のサービングセルにおいて下りリンク制御信号を監視するための周期性を用いて前記UEを構成し、
当該基地局は、前記周期性が前記第２のサービングセルの非整数個のシンボルを含むように前記UEを構成することを許容されず、前記下りリンク制御信号は、前記第２のサービングセルのためのプリエンプション指示（PI）を含む
ように構成される、基地局。
【請求項１７】
前記周期性内の前記第２のサービングセルのシンボル数は、前記第２のサービングセルのアクティブ化された帯域幅部分（BWP）のサブキャリア間隔（SCS）に依存する、請求項１６に記載の基地局。
【請求項１８】
前記第１のサービングセルが60KHzサブキャリア間隔を用いて構成され、前記第２のサービングセルが15KHzサブキャリア間隔を用いて構成される場合、当該基地局は、前記UEを、前記第１のサービングセルにおいて前記DCIを受信するために２スロット又は４スロットの周期性を用いて構成する、請求項１６に記載の基地局。
【請求項１９】
前記第１のサービングセルが60KHzサブキャリア間隔を用いて構成され、前記第２のサービングセルが15KHzサブキャリア間隔を用いて構成される場合、当該基地局は、前記UEを、前記第１のサービングセルにおいて前記DCIを受信するために１スロットを用いた周期性で構成しない、請求項１６に記載の基地局。
【請求項２０】
当該基地局が、前記UEを、前記第１のサービングセルにおいてDCI（下りリンク制御情報）を受信するための周期性で構成するとき、当該基地局は、前記周期性と、前記第１のサービングセル及び前記第２のサービングセルについて構成されるサブキャリア間隔とを併せて決定し、それにより、前記第２のサービングセルの整数個のシンボルが前記周期性内にある、請求項１６に記載の基地局。
【発明の詳細な説明】
【技術分野】
【０００１】
関連出願の相互参照
本出願は、2018年2月7日に申請された米国仮特許出願第62/627,293号の利益を主張し、該出願の開示全体がその全体を本明細書において参照により援用される。
【０００２】
技術分野
本開示は、一般に無線通信ネットワークに関し、より詳細には、無線通信システムにおけるスケジューリングを改善する方法及び装置に関する。
【背景技術】
【０００３】
モバイル通信デバイスへの、及びモバイル通信デバイスからの大量データの通信に関する需要の急増で、従来のモバイル音声通信ネットワークは、インターネットプロトコル（IP）データパケットで通信するネットワークに進化している。こうしたIPデータパケット通信は、モバイル通信デバイスのユーザにボイスオーバーIP、マルチメディア、マルチキャスト、及びオンデマンド通信サービスを提供することができる。
【０００４】
例示的なネットワーク構造が、進化型ユニバーサル地上無線アクセスネットワーク（Evolved  Universal  Terrestrial  Radio  Access  Network）(E-UTRAN)である。E-UTRANシステムは、上述したボイスオーバーIP及びマルチメディアサービスを実現するために、高いデータスループットを提供することができる。次世代（例えば、5G）のための新しい無線技術が、3GPP標準化機構により現在論じられている。したがって、3GPP標準の現内容に対する変更が現在提出されており、3GPP標準を進化及び確定させるよう検討されている。
【発明の概要】
【０００５】
方法及び装置が、UE（ユーザ機器）及び／又は基地局の観点から開示される。一実施例において、方法は、基地局が、第１のサービングセル及び第２のサービングセルを用いてUEを構成するステップを含む。方法は、基地局が、第１のサービングセルにおいて下りリンク制御信号を監視するための周期性を用いてUEを構成するステップをさらに含み、基地局は、周期性が第２のサービングセルの非整数個のシンボルを含むようにUEを構成することを許容されず、下りリンク制御信号は、第２のサービングセルのためのプリエンプション指示（PI）を含む。
【図面の簡単な説明】
【０００６】
【図１】一例示的な実施例による無線通信システムの図を示す。
【図２】一例示的な実施例による送信機システム（アクセスネットワークとしても知られる）及び受信機システム（ユーザ機器又はUEとしても知られる）のブロック図である。
【図３】一例示的な実施例による通信システムの機能ブロック図である。
【図４】一例示的な実施例による図３のプログラムコードの機能ブロック図である。
【図５】3GPP  R1-1721341の表4.2-1の再現である。
【図６】3GPP  R1-1721341の図4.3.1-1の再現である。
【図７】3GPP  R1-1721341の表4.3.2-1の再現である。
【図８】3GPP  R1-1721341の表4.3.2-2の再現である。
【図９】3GPP  R1-1721341の表7.3.2.1-1の再現である。
【図１０】3GPP  R1-1721343の表10.1-1の再現である。
【図１１】一例示的な実施例による図である。
【図１２】一例示的な実施例による図である。
【図１３】一例示的な実施例による図である。
【図１４】一例示的な実施例による図である。
【図１５】一例示的な実施例によるフローチャートである。
【図１６】一例示的な実施例によるフローチャートである。
【図１７】一例示的な実施例によるフローチャートである。
【図１８】一例示的な実施例によるフローチャートである。
【図１９】一例示的な実施例によるフローチャートである。
【図２０】一例示的な実施例によるフローチャートである。
【発明を実施するための形態】
【０００７】
以下で説明される例示的な無線通信システム及びデバイスは、無線通信システムを採用し、ブロードキャストサービスをサポートする。無線通信システムは、音声、データなどの様々なタイプの通信を提供するために広く展開される。これらのシステムは、符号分割多元接続（CDMA）、時分割多元接続（TDMA）、直交周波数分割多元接続（OFDMA）、3GPP  LTE（ロングタームエボリューション（Long  Term  Evolution））無線アクセス、3GPP  LTE-A又はLTEアドバンスト（LTE-Advanced）（ロングタームエボリューションアドバンスト）、3GPP2  UMB（ウルトラモバイルブロードバンド（Ultra  Mobile  Broadband））、WiMax（登録商標）、3GPP  NR（ニューラジオ（New  Radio））、又は何らかの他の変調手法に基づき得る。
【０００８】
詳細には、以下で説明される例示的な無線通信システムデバイスは、本明細書において3GPPと呼ばれる第３世代パートナーシッププロジェクト（3rd  Generation  Partnership  Project）と名付けられたコンソーシアムにより提供される標準などの１つ以上の標準をサポートするように設計されてよく、標準には、Final  Report  of  3GPP  TSG  RAN  WG1  #AH_NR2  v1.0.0（チンタオ、中国、2017年6月27日〜30日）；  Final  Chairman’s  Note  of  3GPP  TSG  RAN  WG1  Meeting  #90（プラハ、チェコ共和国、2017年8月21日〜25日）；  Final  Chairman’s  Note  of  3GPP  TSG  RAN  WG1  Meeting  #AH_NR3（名古屋、日本、2017年9月18日〜21日）；  Final  Chairman’s  Note  of  3GPP  TSG  RAN  WG1  Meeting  #90bis（プラハ、CZ、2017年10月9日〜13日）（電子メール承認で更新）；  Final  Chairman’s  Note  of  3GPP  TSG  RAN  WG1  Meeting  #91（リノ、USA、2017年11月27日〜12月1日）；  R1-1721341、“NR;  Physical  channels  and  modulation  (Release  15)”；  R1-1721342、“NR;  Multiplexing  and  channel  coding  (Release  15)”；  R1-1721343、“NR;  Physical  layer  procedures  for  control  (Release  15)”；  R1-1721344、“NR;  Physical  layer  procedures  for  data  (Release  15)”；  及びR1-1801155、“Summary  of  7.3.3.6  multiplexing  data  with  different  transmission  durations”が含まれる。上記で列挙された標準及び文献は、その全体をここで明示的に参照により援用される。
【０００９】
図１は、発明の一実施例による多元接続無線通信システムを示す。アクセスネットワーク100（AN）が複数のアンテナグループを含み、１つのグループが104及び106を含み、別のグループが108及び110を含み、さらなるグループが112及び114を含む。図１において、各アンテナグループについて２つのアンテナのみが示されるが、各アンテナグループについてより多くの又はより少ないアンテナが利用されてもよい。アクセス端末116（AT）がアンテナ112及び114と通信し、アンテナ112及び114は、順方向リンク120を通じて情報をアクセス端末116に送信し、逆方向リンク118を通じてアクセス端末116から情報を受信する。アクセス端末（AT）122がアンテナ106及び108と通信し、アンテナ106及び108は、順方向リンク126を通じて情報をアクセス端末（AT）122に送信し、逆方向リンク124を通じてアクセス端末（AT）122から情報を受信する。FDDシステムにおいて、通信リンク118、120、124、及び126は、通信のために異なる周波数を使用することができる。例えば、順方向リンク120は、逆方向リンク118により使用される周波数とは異なる周波数を使用してよい。
【００１０】
アンテナの各グループ、及び／又はそれらが通信するように設計されたエリアは、アクセスネットワークのセクタとしばしば呼ばれる。実施例において、アンテナグループは各々、アクセスネットワーク100によりカバーされるエリアのセクタ内のアクセス端末に対して通信するように設計される。
【００１１】
順方向リンク120及び126を通じての通信において、アクセスネットワーク100の送信アンテナは、異なるアクセス端末116及び122のための順方向リンクの信号対雑音比を改善するために、ビームフォーミングを利用することができる。また、そのカバレッジを通してランダムに散らばったアクセス端末に送信するためにビームフォーミングを使用するアクセスネットワークは、単一のアンテナを通してそのアクセス端末すべてに送信するアクセスネットワークよりも、近隣セル内のアクセス端末に対してより少ない干渉をもたらす。
【００１２】
アクセスネットワーク（AN）は、端末と通信するために使用される固定局又は基地局であり得、アクセスポイント、ノードB、基地局、拡張型基地局、進化型ノードB（eNB）、又は何らかの他の用語で呼ばれることもある。アクセス端末（AT）は、ユーザ機器（user  equipment）（UE）、無線通信デバイス、端末、アクセス端末、又は何らかの他の用語で呼ばれることもある。
【００１３】
図２は、MIMOシステム200における送信機システム210（アクセスネットワークしても知られる）及び受信機システム250（アクセス端末（AT）又はユーザ機器（UE）としても知られる）の実施例の簡素化されたブロック図である。送信機システム210において、複数のデータストリームのためのトラフィックデータが、データソース212から送信（TX）データプロセッサ214に提供される。
【００１４】
一実施例において、各データストリームは、それぞれの送信アンテナを通じて送信される。TXデータプロセッサ214は、各データストリームのトラフィックデータを、そのデータストリームについて選択された特定の符号化方式に基づきフォーマットし、符号化し、インタリーブして、符号化されたデータを提供する。
【００１５】
各データストリームの符号化データは、OFDM手法を使用してパイロットデータと多重化され得る。パイロットデータは、典型的には既知の方式で処理される既知のデータパターンであり、チャネル応答を推定するために受信機システムで使用され得る。各データストリームの多重化されたパイロット及び符号化データは、次いで、そのデータストリームについて選択された特定の変調方式（例えば、（BPSK、QPSK、M-PSK、又はM-QAM）に基づき変調され（すなわち、シンボルマッピングされ）て、変調シンボルを提供する。各データストリームのデータレート、符号化、及び変調は、プロセッサ230により実行される命令により決定されてよい。
【００１６】
すべてのデータストリームの変調シンボルが、次いで、TX  MIMOプロセッサ220に提供され、TX  MIMOプロセッサ220は、（例えば、OFDMのために）変調シンボルをさらに処理することができる。TX  MIMOプロセッサ220は、次いで、NT個の変調シンボルストリームをNT個の送信機（TMTR）222a乃至222tに提供する。特定の実施例において、TX  MIMOプロセッサ220は、ビームフォーミング重みを、データストリームのシンボルに、及びシンボルが送信されているアンテナに適用する。
【００１７】
各送信機222は、それぞれのシンボルストリームを受信し、処理して、１つ以上のアナログ信号を提供し、さらに、アナログ信号を調整し（例えば、増幅し、フィルタし、アップコンバートし）て、MIMOチャネルを通じての送信に適した変調された信号を提供する。送信機222a乃至222tからのNT個の変調信号が、次いで、NT個のアンテナ224a乃至224tからそれぞれ送信される。
【００１８】
受信機システム250において、送信された変調信号がNR個のアンテナ252a乃至252rにより受信され、各アンテナ252からの受信した信号は、それぞれの受信機（RCVR）254a乃至254rに提供される。各受信機254は、それぞれの受信信号を調整し（例えば、フィルタし、増幅し、ダウンコンバートし）、調整された信号をデジタル化してサンプルを提供し、さらに、サンプルを処理して対応する「受信」シンボルストリームを提供する。
【００１９】
RXデータプロセッサ260が、次いで、特定の受信機処理手法に基づきNR個の受信機254からNR個の受信シンボルストリームを受信し、処理して、NT個の「検出」シンボルストリームを提供する。RXデータプロセッサ260は、次いで、各々の検出されたシンボルストリームを復調し、デインタリーブし、復号して、データストリームのトラフィックデータを復元する。RXデータプロセッサ260による処理は、送信機システム210においてTX  MIMOプロセッサ220及びTXデータプロセッサ214により実行される処理に対して相補的である。
【００２０】
プロセッサ270が、（以下に論じられる）いずれのプリコーディング行列を使用するかを周期的に決定する。プロセッサ270は、行列インデックス部分とランク値部分とを含む逆方向リンクメッセージを構築する。
【００２１】
逆方向リンクメッセージは、通信リンク及び／又は受信データストリームに関する様々なタイプの情報を含むことができる。逆方向リンクメッセージは、次いで、データソース236から複数のデータストリームのトラフィックデータをさらに受信するTXデータプロセッサ238により処理され、変調器280により変調され、送信機254a乃至254rにより調整され、送信機システム210に送り返される。
【００２２】
送信機システム210において、受信機システム250からの変調信号はアンテナ224により受信され、受信機222により調整され、復調器240により復調され、RXデータプロセッサ242により処理されて、受信機システム250により送信された逆方向リンクメッセージを抽出する。プロセッサ230が、次いで、ビームフォーミング重みを決定するためいずれのプリコーディング行列を使用するかを決定し、次いで、抽出されたメッセージを処理する。
【００２３】
図３を参照し、この図は、発明の一実施例による通信デバイスの別の簡素化された機能ブロック図を示す。図３に示されるように、無線通信システムにおける通信デバイス300は、図１におけるUE（又はAT）116及び122又は図１における基地局（又はAN）100を実現するために利用でき、無線通信システムは、好ましくはNRシステムである。通信デバイス300は、入力デバイス302、出力デバイス304、制御回路306、中央処理ユニット（CPU）308、メモリ310、プログラムコード312、及び送受信機314を含むことができる。制御回路306は、CPU308を通してメモリ310内のプログラムコード312を実行し、それにより、通信デバイス300の動作を制御する。通信デバイス300は、キーボード又はキーパッドなどの入力デバイス302を通してユーザによる信号入力を受信することができ、モニタ又はスピーカーなどの出力デバイス304を通して画像及び音を出力することができる。送受信機314は、無線信号を受信及び送信するために使用され、受信した信号を制御回路306に送り、制御回路306により生成された信号を無線で出力する。無線通信システムにおける通信デバイス300は、図１におけるAN100を実現するためにも利用できる。
【００２４】
図４は、発明の一実施例に従う図３に示されるプログラムコード312の簡素化されたブロック図である。この実施例において、プログラムコード312は、アプリケーションレイヤ400、レイヤ３部分402、及びレイヤ２部分404を含み、レイヤ１部分406に結合される。レイヤ３部分402は、無線リソース制御を一般に実行する。レイヤ２部分404は、リンク制御を一般に実行する。レイヤ１部分406は、物理接続を一般に実行する。
【００２５】
一般に、グループ共通DCI（下りリンク制御情報）が、プリエンプション指示（Preemption  Indication）（PI）を搬送するために使用される。Final  Report  of  3GPP  TSG  RAN  WG1  #AH_NR2は以下の合意を得ている。
〔外１〕
2019140664.tif 000003
【００２６】
Final  Chairman’s  Note  of  3GPP  TSG  RAN  WG1  Meeting  #90において、プリエンプトされた（preempted）リソースの参照下りリンクリソースの概念が以下のとおり合意されている。
〔外２〕
2019140664.tif 000004
【００２７】
Final  Chairman’s  Note  of  3GPP  TSG  RAN  WG1  Meeting  #AH_NR3は、以下に説明されるように、PIを搬送するグループ共通DCIに関連したいくつかの合意を得ており、データ送信のQCL（擬似コロケーション（Quasi  Co-Location））指示のためにDCIにTCI（送信構成指示（Transmission  Configuration  Indication））を導入する合意が含まれる。
〔外３‐１〕
2019140664.tif 000005
〔外３‐２〕
2019140664.tif 000006
〔外３‐３〕
2019140664.tif 000007
〔外３‐４〕
2019140664.tif 000008
【００２８】
Final  Chairman’s  Note  of  3GPP  TSG  RAN  WG1  Meeting  #90bisは、以下に説明されるようにいくつかの合意を得ている。１つの合意は、プリエンプション指示のための参照下りリンクリソースが、PIを搬送するグループ共通DCIの監視周期性に等しいと説明する。さらに、PIのスロットレベル監視周期性がサポートされる。
〔外４‐１〕
2019140664.tif 000009
〔外４‐２〕
2019140664.tif 000010
【００２９】
Final  Chairman’s  Note  of  3GPP  TST  RAN  WG1  Meeting  #91で論じられるように、（以下に論じられる）引用された作業仮定に基づき、UEは、各PIとサービングセルとの間の構成されたマッピングに対応する複数のPIを搬送するDCIを受信することができる。
〔外５‐１〕
2019140664.tif 000011
〔外５‐２〕
2019140664.tif 000012
【００３０】
3GPP  R1-1721341は、PDCCH（物理下りリンク制御チャネル（Physical  Downlink  Control  Channel））構造及びフレーム構造のいくつかの構成について以下の説明を提供する。
〔外６‐１〕
2019140664.tif 000013
［3GPP  R1-1721341の“Supported  transmission  numerologies”と題された表4.2-1が図５として再現される］
〔外６‐２〕
2019140664.tif 000014
［3GPP  R1-1721341の“Uplink-downlink  timing  relation”と題された図4.3.1-1が図６として再現される］
〔外６‐３〕
2019140664.tif 000015
［3GPP  R1-1721341の“Number  of  OFDM  symbols  per  slot,  slots  per  frame,  and  slots  per  subframe  for  normal  cyclic  prefix”と題された表4.3.2-1が図７として再現される］
［3GPP  R1-1721341の“Number  of  OFDM  symbols  per  slot,  slots  per  frame,  and  slots  per  subframe  for  extended  cyclic  prefix”と題された表4.3.2-2が図８として再現される］
〔外６‐４〕
2019140664.tif 000016
［3GPP  R1-1721341の“Supported  PDCCH  aggregation  levels”と題された表7.3.2.1-1が図９として再現される］
〔外６‐５〕
2019140664.tif 000017
〔外６‐６〕
2019140664.tif 000018
〔外６‐７〕
2019140664.tif 000019
【００３１】
（以下に提供されるように）3GPP  R1-1721342で論じられるように、PDSCHのスケジューリングのためのDCIフォーマットは、送信構成指示（TCI）として示されるフィールドを含むことができる。このフィールドは、PDSCH（物理下りリンク共有チャネル（Physical  Downlink  Shared  Channel））を受信するDMRS（復調参照信号（Demodulation  Reference  Signal））アンテナポートと、UE固有のRRC（無線リソース制御（Radio  Resource  Control））構成されたM個のTCIのうちの１つである１つ又は２つ以上の参照信号との間の関連づけを示す。DCIフォーマット2_1として示される１つのDCIフォーマットが、プリエンプション指示を示すために使用される。
〔外７‐１〕
2019140664.tif 000020
〔外７‐２〕
2019140664.tif 000021
〔外７‐３〕
2019140664.tif 000022
〔外７‐４〕
2019140664.tif 000023
〔外７‐５〕
2019140664.tif 000024
【００３２】
3GPP  R1-1721343は、制御情報を受信するUE手順について以下の説明を提供する。CORESETが、CORESETを受信するDMRS（復調参照信号）アンテナポートと１つ又は２つ以上の参照信号との間の関連づけを用いて構成されることができる。第２の引用段落は、現在の不連続送信指示（discontinuous  transmission  indication）に関連したUEの挙動を規定する。NW（ネットワーク）が、プリエンプション指示を監視及び受信するための１つ又は２つ以上のCORESETを用いてUEを構成することができる。BWP（帯域幅部分（Bandwidth  Part））に関連した説明も以下で提供される。
〔外８‐１〕
2019140664.tif 000025
〔外８‐２〕
2019140664.tif 000026
〔外８‐３〕
2019140664.tif 000027
［3GPP  R1-1721343の“CCE  aggregation  levels  and  number  of  candidates  per  CCE  aggregation  level  for  PDCCH  scheduling  SystemInformationBlockType1  in  Type0-PDCCH  common  search  space”と題された表10.1-1が図１０として再現される］
〔外８‐４〕
2019140664.tif 000028
〔外８‐５〕
2019140664.tif 000029
〔外８‐６〕
2019140664.tif 000030
〔外８‐７〕
2019140664.tif 000031
〔外８‐８〕
2019140664.tif 000032
〔外８‐９〕
2019140664.tif 000033
〔外８‐１０〕
2019140664.tif 000034
〔外８‐１１〕
2019140664.tif 000035
【００３３】
3GPP  R1-1721344において、PDSCH受信の空間的関連づけが以下のとおり説明される。
〔外９‐１〕
2019140664.tif 000036
〔外９‐２〕
2019140664.tif 000037
【００３４】
3GPP  R1-1801155で論じられるように、UEは、異なるセルのための２つ以上のプリエンプション指示（PI）を示すDCIを伝達するPDCCHを監視するように構成されることができる。さらに、各セルにおけるUEのアクティブ化された（activated）帯域幅部分（BWP）は、異なるサブキャリア間隔を有し得る。PIの構成された監視周期性は、１つの構成されたサービングセルのアクティブ化されたBWPのサブキャリア間隔（SCS）に依存する。
〔外１０‐１〕
2019140664.tif 000038
〔外１０‐２〕
2019140664.tif 000039
〔外１０‐３〕
2019140664.tif 000040
【００３５】
以下の用語及び仮定のうちいくつか又はすべてが使用され得る。
・BS：１つ又は複数のセルに関連づけられる１つ又は複数のTRPを制御するために使用できる、NRにおけるネットワーク中央ユニット又はネットワークノード。BSとTRPとの間の通信は、フロントホールを介し得る。BSは、中央ユニット（central  unit）（CU）、eNB、gNB、又はノードBと呼ばれることがある。
・TRP：送信及び受信ポイントが、ネットワークカバレッジを提供することができ、UEと直接通信することができる。TRPは、分散ユニット（distributed  unit）（DU）又はネットワークノードと呼ばれることがある。
・セル：セルが、１つ又は複数の関連づけられたTRPから成ることでき、すなわち、セルのカバレッジは、すべての関連づけられたTRPのカバレッジから成る。１つのセルは、１つのBSにより制御できる。セルは、TRPグループ（TRPG）と呼ばれることがある。
・NR-PDCCH：チャネルが、UEとネットワーク側との間の通信を制御するために使用できる下りリンク制御信号を搬送する。ネットワークは、UEに対して構成された制御リソースセット（CORESET）上でNR-PDCCHを送信することができる。
・UL制御信号：UL制御信号は、スケジューリング要求（SR）、チャネル状態情報（CSI）、又は下りリンク送信のためのHARQ-ACK（ハイブリッド自動再送要求肯定応答（Hybrid  Automatic  Repeat  Request-Acknowledgement）／NACK（否定応答（Negative  Acknowledgement））であり得る。
・スロット：スロットは、NR（ニューRAT）におけるスケジューリングユニットであり得る。スロット持続時間は、14OFDM（直交周波数分割多重）シンボルであり得る。
・ミニスロット：ミニスロットは、14OFDMシンボル未満の持続時間を有するスケジューリングユニットであり得る。
・スロットフォーマット情報（SFI）：スロット中のシンボルのスロットフォーマットの情報。スロット中のシンボルは、下記のタイプ：下りリンク、上りリンク、フレキシブル、又はその他に属し得る。スロットのスロットフォーマットは、スロット中のシンボルの送信方向を少なくとも伝達することができる。
・DL（下りリンク）共通信号：DL共通信号は、セル中の複数のUE又はセル中のすべてのUEについて対象にする共通情報を搬送するデータチャネルであり得る。DL共通信号の例は、システム情報、ページング、又はRARであり得る。
・DL  URLLC（超高信頼及び低レイテンシ通信（Ultra-Reliable  and  Low  Latency  Communications））：非常に高い信頼性及び非常に低いレイテンシを必要とするタイプのDL送信。レイテンシ要件を満たすために、一例がミニスロットにおいてDL  URLLCを送信することであり、例えば、データ持続時間は１〜４OFDMシンボルなどの１スロット未満であり得、スロット中にDL  URLLC制御について１つ又は複数の監視機会があり得る。この例において、UEは、DL  URLLC送信を示すDL  URLLC制御について監視するようにCORESETを用いて構成される。CORESETは、スロットの中間シンボル上に構成されることができる。DL  URLLC送信は、CORESETの続きのいくつかのシンボル上で送信されてよい。
【００３６】
無線通信システムにおいて、無線リソース利用効率は、NWが複数の及び／又は異なるサービスでUEをスケジュールするのに重要である。5G  NRにおいて、異なる要件を有する複数のサービスが、サポートされるように予期される。サービスは、非常に低いレイテンシ及び高い信頼性（すなわち、URLLC）を必要とするサービス、非常に高いデータレート（すなわち、高度化モバイルブロードバンド（Enhanced  Mobile  Broadband）（eMBB））を必要とするサービス、又は高度化カバレッジ（すなわち、大量マシンタイプ通信（Massive  Machine  Type  Communication）（mMTC））を用いたサービスとして広く分類できる。しかしながら、上述された異なるサービスは、異なる持続時間及び／又は異なるサブキャリア間隔（SCS）を必要とすることがある。例えば、URLLC要件を満たすために、より少数のOFDMシンボル上で送信すること及び／又はより高いSCS値を介して送信することが有益であり、しかし、他のサービスについて、レイテンシは最も高い優先順位でない。
【００３７】
NWの観点から、効率的な方法で異なる要件を有する異なるサービスを多重化する方法が考慮される必要がある。１つの方法は、FDM（周波数分割多重）方式を介する。NWは、異なる周波数リソース上に異なるQoS要件を有するサービスをスケジュールすることができる。しかし、NWは、いくつかのサービスについて、利用可能な及び／又は十分な周波数リソースがないという問題に直面することがある。例えば、遅延に敏感なサービス（すなわち、URLLC）はレイテンシ要件を満たすために、さらにより多くの周波数リソースを占有し得る、より高いSCSを有するリソースで送信される可能性がある。いくつかの状況（すなわち、狭いシステム帯域幅、遅延に敏感なサービスに相対してさらにより遅延に耐えられるサービス）において、FDM方式で異なるQoS要件を有するサービスを多重化することは、適切でない。
【００３８】
１つの方法は、TDM（時分割多重）方式を介し得る。NWは、異なる時間に異なるサービスをスケジュールすることができる。しかしながら、遅延に敏感なサービスを考慮すると、TDM方式で次の送信機会を待機することは、遅延に敏感なサービスの要件を満足しない可能性がある。ゆえに、遅延に敏感なサービスを遅延に耐えられるサービスより上に優先順位づけることを許容することが考慮される。例えば、遅延に敏感なサービスのデータが到着したとき、NWは、遅延に耐えられるサービスについてスケジュールされているリソース上に、遅延に敏感なサービスをスケジュールするように優先順位づけることができる。NWは、遅延に耐えられるサービスについてすでにスケジュールされたリソース上のデータ又は情報をパンクチャしてもよい。
【００３９】
したがって、プリエンプション指示（PI）の概念が導入される。NWは、再送信の受信性能を補償するために、遅延に耐えられるサービスを有するUEにPIを示すことができる。PIに対するいくつかの詳細な手順が、3GPP  R1-1721343で言及されている。UEが、PIを受信するためのグループ共通PDCCHを監視するように構成される場合、PIを受信することは、UEが、他のUEのためにスケジュールされ得る遅延に敏感なサービスにより影響される送信の一部を破棄及び／又は無視することを、支援することができる。チェイス合成（chase  combining）を用いた再送信を考慮すると、前の／最初の送信の影響された一部を破棄すること及び／又は無視することは、復号性能を改善することができる。Final  Report  of  3GPP  TSG  RAN  WG1  #AH_NR2に基づき、PIは、グループ共通PDCCHにより搬送される。異なるグループ共通PDCCHが、異なるPIを示すことができる。現在のNR  PHY標準において、DCIフォーマット2_1を用いて下りリンク制御情報を搬送する１つのグループ共通PDCCHは、１つ又は２つ以上のPIを含むことができる。さらに、各PIは、構成されたサービングセルについて表現することができる。サービングセルとDCIフォーマット2_1を用いた下りリンク制御情報内のフィールドとについての構成されたマッピングに基づき、UEは、PIとサービングセルとの間の関連づけを知ることができる。
【００４０】
3GPP  R1-1801155における賛成されたテキスト提案に基づき、異なるサブキャリア間隔（SCS）を用いた第１のサービングセルのPIを示すために、UEが下りリンク制御情報を受信した場合、UEは、第１のサービングセルのSCS及び第２のサービングセルのSCSに基づき第１のサービングセルのPIを解釈することができる。UEが第１のセル上で第１のセルのための下りリンク制御情報を受信した場合、第２のサービングセルが第１のサービングセルであり得ることに留意する。例えば、UEは、２つのPIを示す、周期性１スロットを用いた第１のサービングセルにおけるDCIフォーマット2_1を用いた下りリンク制御情報を受信するように構成されることができ、一方のPIは第１のサービングセルに関し、他方のPIは第２のサービングセルに関する。第１のサービングセルのアクティブ化された下りリンクBWPのSCSが30kHzであり、第２のサービングセルのアクティブ化された下りリンクBWPのSCSが15kHzである場合、第１のサービングセルのためのPIはSCS30kHzで14OFDMシンボルを示し、第２のサービングセルのためのPIは15kHzで７OFDMシンボルを示す。双方のPIにより示されるOFDMシンボルは、下りリンク制御情報を監視するための制御リソースセット（CORESET）の、最初のOFDMシンボルの前にある。しかしながら、いくつかの場合、PI監視周期性内で、それは、第１のサービングセルと第２のサービングセルとの間の異なるSCS及び／又は異なるサイクリックプレフィクス（CP）長に起因して、一OFDMシンボルの一部を含むことがある。したがって、OFDMシンボルの一部がPI監視周期性に含まれるときにUEが如何にしてPIを解釈するかが問題であり得る。
【００４１】
図１１により示される例において、DCIフォーマット2_1を用いた下りリンク制御情報を受信するための第１のサービングセルのアクティブ化された下りリンクBWPのSCSが、PI監視周期１スロットで60kHzであり、第２のサービングセルのアクティブ化された下りリンクBWPのSCSが、15kHzである場合、UEは、第２の60kHzスロットにおいて受信された第２のセルのためのPIがOFDMシンボル#3を示すことができるか否かを混同する可能性があり、なぜならば、OFDMシンボル#3の一部が１つの監視周期性に入り、OFDMシンボル#3の他の部分が他の監視周期性に入るからである。別の例において、拡張サイクリックプレフィクス（ECP）の場合、サービングセルのECPを用いた下りリンクBWPのスロット境界は、別のサービングセルにおける通常サイクリックプレフィクス（NCP）に整合しない可能性がある。さらに、3GPP  R1-1801155における賛成されたテキスト提案によれば、UEは、前の監視周期性において検出された／復号された／スケジュールされたPDSCHがない場合、DCIフォーマット2_1を監視するよう求められない。しかしながら、PI監視周期性内のOFDMシンボルの一部を考慮する場合、UEが如何にして上記問題を取り扱うかが解決される必要がある。潜在的な解決策が以下で説明される。
【００４２】
本発明の２つの一般的概念が以下のとおり説明される。一実施例において、第１の一般的概念は、DCI（下りリンク制御情報）において複数のサービングセルの複数のPIを受信する構成に対して制限があることである。UEは、PIの監視周期性内でOFDMシンボルの一部を扱い、かつ／あるいは数えるようには予期されない。別の実施例において、第２の一般的概念は、UEが、PIの監視周期性内にOFDMシンボルの一部を示す少なくとも１つのPIを含むDCIを受信した場合、UEが如何にしてこの場合を取り扱うかということである。
【００４３】
一実施例において、UEは、サービングセルのセットを用いて構成されることができる。UEは、セットの中の第２のサービングセルのプリエンプション指示（PI）を示す、第１のサービングセルにおける下りリンク制御情報を監視するための周期性を用いて構成されることができる。周期性は、該周期性が第２のセルにおいて整数個のOFDMシンボルを含むという制限を用いて構成されることができる。例えば、UEが、SCS60kHzを用いた第１のサービングセルのためのPI及び／又はSCS15kHzを用いた第２のサービングセルのためのPIを示す、第１のサービングセルにおけるDCIを受信した場合、UEは、第１のセルにおけるDCIを受信するために２スロットの周期性を用いて基地局により構成されてよい。この例において、SCS60kHzを用いた周期性２スロットの助けで、周期性内のSCS15kHzを用いたOFDMシンボルの数は７である。
【００４４】
別の例において、基地局が、SCS60kHzを用いた第１のサービングセルのためのPI及び／又はSCS15kHzを用いた第２のサービングセルのためのPIを示す、第１のサービングセルにおけるUEに対するDCIを送信する場合、基地局は、UEに対して、第１のセルにおけるDCIを受信するために１スロットの周期性を構成しない。UEが、SCS60kHzを用いた第１のサービングセルのためのPI及び／又はSCS15kHzを用いた第２のサービングセルのためのPIを示す、第１のサービングセルにおけるDCIを受信する／監視する場合、UEは、第１のセルにおけるDCIを受信するために１スロットを用いた周期性の構成を受信するように予期されない。制限は、周期性内のOFDMシンボルの数を整数であるように支援することができる。
【００４５】
一実施例において、第１のサービングセルは、周期性が整数個のOFDMシンボルを含むという制限を用いて構成されることができる。第１のサービングセルは、最小値のSCSを含むサービングセルとして構成されることができる。例えば、第１のサービングセルにおける構成されたBWPの可能なSCSは15kHz、30kHzであり、第２のサービングセルにおける構成されたBWPの可能なSCSは15kHz、60kHzである。この例において、構成された周期性内における非整数個のOFDMシンボルを回避するために、第１のサービングセルは、UEが２つのサービングセルのための２つのPIを含む下りリンク制御情報を受信するように構成されることができる。
【００４６】
別法として、制限は、DCIを受信することについて構成されたサービングセルのSCSの最大値が、セットの中のサービングセル間における最小SCSの２倍より小さいか又は等しいことであり得る。制限は、さらに、第１のサービングセルのアクティブ化されたBWPのSCSが15kHzであり、第２のサービングセルのアクティブ化されたBWPのSCSが60kHzであるとき、UEが、DCIのための１スロット監視周期性を用いて第２のサービングセルにおいて２つのPIを示すDCIを受信するように予期されないことであり得る。
【００４７】
別法として、制限は、第１のサービングセルのアクティブ化されたBWPのSCSが15kHzであり、第２のサービングセルのアクティブ化されたBWPのSCSが60kHzであるとき、UEが、１スロット監視周期性を用いて第２のサービングセルにおいて第２のサービングセルのための１つのPIを示すDCIを受信することであり得る。例えば、第１のサービングセルにおける構成されたBWPの可能なSCSは15kHz、30kHzであり、第２のサービングセルにおける構成されたBWPの可能なSCSは15kHz、60kHzであり、第３のサービングセルにおける構成されたBWPの可能なSCSは120kHzである。この例において、第１のサービングセルのSCSの最大値30kHzは、SCSの最小値の２倍に等しくなり得るため、第１のサービングセルは、UEが構成された周期性１スロットを用いて３つのPIを含むDCIを監視するように構成されることができる。第２のサービングセルが、UEが構成された周期性１スロットを用いて２つのPIを含むDCIを監視するように構成される場合、第２のサービングセルのアクティブ化されたBWPのSCSが60kHzであり、第１のサービングセルのアクティブ化されたBWPのSCSが15kHzであるとき、3.5OFDMシンボルが１スロット中に発生し得る。同様に、第３のサービングセルが、UEが３つのPIを含むDCIを監視するように構成される場合、第３のサービングセルのSCS値は、制限を満足することができない。
【００４８】
同様の例において、第１のサービングセルにおける構成されたBWPの可能なSCSが15kHz、60kHzであり、第２のサービングセルにおける構成されたBWPの可能なSCSが15kHz、60kHzである。この例において、第１のサービングセル及び第２のサービングセルの双方が制限を満足することができず、UEは、周期性内に整数個のOFDMシンボルであることを満足するための周期性を用いて構成される必要がある。別法として、この例において、第１のサービングセル及び第２のサービングセルのアクティブ化されたBWPの双方のSCSが同じであるとき、これら２つのサービングセルのための２つのPIを示すDCIが発生する、という制限が適用されることができる。さらに、双方のサービングセルのアクティブ化されたBWPのSCSが異なる場合、UEが、周期性１スロットを用いて第２の／第１のサービングセルにおいて２つのPIを示すDCIを受信したとき、UEは、第１の／第２のサービングセルのためのPIを無視し／破棄してよい。
【００４９】
一実施例において、UEは、周期性内のOFDMシンボルの数が整数でない場合を扱うように予期されない。UEが、非整数個のOFDMシンボルを含む周期性を示すPIを受信した場合、UEは、PIを無視してよい。別法として、UEは、PIの一部を無視してよい。基地局又はNWの観点から、基地局又はNWが、UEのサービングセルの複数のPIを含むDCIを受信するための周期性でUEを構成するとき、NWは、制限を満足するために、複数のサービングセルのためのPIを含むDCIを受信するため、周期性といずれのUEのサービングセルかとを併せて（jointly）決定してよい。
【００５０】
一実施例において、UEは、サービングセルのセットを用いて構成されることができる。UEは、セットの中のサービングセルのプリエンプション指示（PI）を示す、第１のサービングセルにおける下りリンク制御情報を監視するための周期性を用いて構成されることができる。周期性は、第１のサービングセルのアクティブ化されたBWPのSCSに依存してよい。周期性は、OFDMシンボルのセットを含んでよい。OFDMシンボルのセットのサイズは、サービングセルのセットの中のサービングセルのアクティブ化されたBWPのSCSに依存する。例えば、第１のサービングセルのアクティブ化されたBWPのSCSが60kHzであり、第２のサービングセルのアクティブ化されたBWPのSCSが15kHzであり、構成された周期性が１スロットであると仮定すると、UEが、周期性１スロットごとに第１のサービングセルにおいて２つのPIを含むDCIを受信するように構成される場合、周期性内のSCS15kHzを用いたOFDMシンボルの数は3.5であり、周期性内のSCS60kHzを用いたOFDMシンボルの数は14である。UEは、部分的シンボル持続時間を有するOFDMシンボルを無視してよい。例えば、第１のサービングセルのアクティブ化されたBWPのSCSが60kHzであり、第２のサービングセルのアクティブ化されたBWPのSCSが15kHzであり、UEが周期性１スロットごとに第１のサービングセルにおいて２つのPIを含むDCIを受信するように構成される場合を仮定すると、15kHzのSCSに対応するPIは、３OFDMシンボルのリソースを示す。より具体的に、UEが、周期性内にいくつの完全なOFDMシンボルかを数えるとき、UEは、部分的シンボル持続時間を有するOFDMシンボルを無視してよい。
【００５１】
別法として、部分的シンボル持続時間を有するOFDMシンボルが周期性の始めにある場合、UEは、該OFDMシンボルを含んでよい。部分的シンボル持続時間を有するOFDMシンボルが周期性の最後にある場合、UEは、該OFDMシンボルを無視してよい。より具体的に、UEが、周期性内にいくつの完全なOFDMシンボルかを数えたとき、UEは、部分的シンボル持続時間を有するOFDMシンボルを無視してよい。例えば、第１のサービングセルのアクティブ化されたBWPのSCSが60kHzであり、第２のサービングセルのアクティブ化されたBWPのSCSが15kHzであり、UEが周期性１スロットごとに第１のサービングセルにおいて２つのPIを含むDCIを受信するように基地局により構成される場合を仮定すると、15kHzのSCSに対応するPIは、いくつかのスロットにおいて３OFDMシンボルのリソースを示し、他のスロットにおいて４OFDMシンボルのリソースを示す。別法として、UEは、一OFDMシンボルのためのPIを示す２つのDCIにおける２ビットが同じ値を示すと仮定してよい。同じ値は、１又は０とすることができる。２ビットのうち一方は、OFDMシンボルの第１の部分のためのPIを示すことになり、２ビットのうち他方は、OFDMシンボルの第２の部分のためのPIを示すことになる。
【００５２】
一実施例において、UEは、一OFDMシンボルのためのPIを示す２つのDCIにおける２ビットが異なる値を示すことになる２つのDCIを受信するように予期されなくてよい。基地局は２つのDCIをUEに送信することができ、２つのDCIにおける２ビットは一OFDMシンボルのためのPIを示し、基地局は該２ビットについて同じ値を設定することができる。例えば、第１のサービングセルのアクティブ化されたBWPのSCSが60kHzであり、第２のサービングセルのアクティブ化されたBWPのSCSが15kHzであり、UEが周期性１スロットごとに第１のサービングセルにおいて２つのPIを含むDCIを受信するように基地局により構成される場合を仮定すると、15kHzのSCSに対応するPIは、3.5OFDMシンボルのリソースを示す。第１のDCIにおける第１のビットが、OFDMシンボルのうち半分のためのPIを示すことになり、第２のDCIにおける第２のビットが、OFDMシンボルのうち別の半分のためのPIを示すことになる。
【００５３】
一実施例において、UEは、第１のビットと第２のビットとが異なる値に設定される２つのDCIを受信するように予期されなくてよい。基地局は、第１のビット及び第２のビットについて同じ値を設定することになる。別法として、OFDMシンボルのためのPIを示す２つのDCIにおける２ビットが、異なる値（例えば、第１の値及び第２の値）を示すことができる。UEは、該異なる値に基づき、OFDMシンボル上の対応するリソースが送信されるか否かを決定することができる。２ビットのうちいずれかが１に設定される場合、UEは、OFDMシンボル上の対応するリソースが送信されないと決定する。２ビットのうち双方が０に設定される場合、UEは、OFDMシンボル上の対応するリソースが送信されると決定する。別法として、２ビットのうち双方が１に設定される場合、UEは、OFDMシンボル上の対応するリソースが送信されないと決定する。
【００５４】
２ビットのうちいずれかが１に設定される場合、UEは、OFDMシンボル上の対応するリソースが送信されると決定することができる。例えば、第１のサービングセルのアクティブ化されたBWPのSCSが60kHzであり、第２のサービングセルのアクティブ化されたBWPのSCSが15kHzであり、UEが周期性１スロットごとに第１のサービングセルにおいて２つのPIを含むDCIを受信するように基地局により構成される場合を仮定すると、15kHzのSCSに対応するPIは、3.5OFDMシンボルのリソースを示す。第１のDCIにおける第１のビットは、OFDMシンボルのうち半分のためのPIを示すことになり、第２のDCIにおける第２のビットは、OFDMシンボルのうち別の半分のためのPIを示すことになる。UEは、第１のビットの第１の値及び第２のビットの第２の値に基づき、OFDMシンボル上の対応するリソースが送信されるか否かを決定することができる。
【００５５】
第１のビット及び第２のビットのいずれかが１に設定される場合、UEは、OFDMシンボル上の対応するリソースが送信されないと決定することができる。第１のビット及び第２のビットの双方が０に設定される場合、UEは、OFDMシンボル上の対応するリソースが送信されると決定する。別法として、第１のビット及び第２のビットの双方が１に設定され、UEは、OFDMシンボル上の対応するリソースが送信されないと決定する。第１のビット及び第２のビットのいずれかが１に設定される場合、UEは、OFDMシンボル上の対応するリソースが送信されると決定する。
【００５６】
周期性内に部分的シンボル持続時間を有する少なくとも１つのOFDMシンボルがある場合、UEが、該OFDMシンボル上で送信されるPDSCHがあるかどうかを決定したとき、UEは、該OFDMシンボルを無視してよい。例えば、図１３において、UEが、第２のサービングセルにおいて半分のシンボル持続時間を有するOFDMシンボルを無視してよいため、UEは、第５の監視機会にDCIを監視するように求められなくてよい（あるいは、監視しない）。DCIは、２つのPIを含み得る。UEは、第５の監視機会の前の監視周期性において検出された／復号された／スケジュールされたPDSCHがある場合でも、第５の監視機会にDCIを監視するように求められなくてよい（あるいは、監視しない）。第５の監視機会の前の監視周期性において検出された／復号された／スケジュールされたPDSCHは、OFDMシンボルの半分を含む。
【００５７】
別法として、周期性内に部分的シンボル持続時間を有する少なくとも１つのOFDMシンボルがある場合、UEが、該OFDMシンボル上で送信されるPDSCHがあるかどうかを決定したとき、UEは、該OFDMシンボルを含んでよい。さらに、周期性内に部分的シンボル持続時間を有する少なくとも１つのOFDMシンボルがある場合、UEが、該OFDMシンボル上で送信されるPDSCHがあるかどうかを決定したとき、該OFDMシンボルが周期性の始めにある場合、UEは、該OFDMシンボルを含んでよい。周期性内に部分的シンボル持続時間を有する少なくとも１つのOFDMシンボルがある場合、UEが、該OFDMシンボル上で送信されるPDSCHがあるかどうかを決定したとき、該OFDMシンボルが周期性の最後にある場合、UEは、該OFDMシンボルを無視してよい。例えば、図１３において、UEが、第２のサービングセルにおいてPDSCH送信があると知り得るため、UEは、第５の監視機会にPIを含むDCIを監視してよい。
【００５８】
しかしながら、図１４において、UEは、第４の監視機会にPIを含むDCIを監視することをスキップしてよい。UEは、第４の監視機会の前の監視周期性において検出された／復号された／スケジュールされたPDSCHがある場合でも、第４の監視機会にDCIを監視するように求められなくてよい（あるいは、監視しない）。第４の監視機会の前の監視周期性において検出され、復号され、又はスケジュールされたPDSCHは、OFDMシンボルの半分を含む。UEは、第４の監視機会に第２のサービングセルにおいてPDSCH送信があると知らない可能性がある。別法として、周期性内に部分的シンボル持続時間を有する少なくとも１つのOFDMシンボルがある場合、UEが、該OFDMシンボル上で送信されるPDSCHがあるかどうかを決定したとき、UEが、該OFDMシンボル上にPDSCHがあると認識する場合、UEは、該OFDMシンボルを含んでよい。周期性内に部分的シンボル持続時間を有する少なくとも１つのOFDMシンボルがある場合、UEが、該OFDMシンボル上で送信されるPDSCHがあるかどうかを決定したとき、UEが、該OFDMシンボル上にPDSCHがあると認識しない場合、UEは、該OFDMシンボルを無視してよい。
【００５９】
一実施例において、UEは、サービングセルのセットを用いて構成されることができる。UEは、セットの中の各サービングセルのためのPIを用いて構成されることができる。UEは、セットの中の各サービングセルのための監視周期性を用いて構成されることができる。図１２により示される例において、UEは、２つのサービングセルのための２つの監視周期性を用いて構成されることができ、第１のサービングセルについてSCS  60kHzを用いた１スロットと、第２のサービングセルについてSCS  15kHzを用いた１スロットである。UEが、SCS  15kHzを用いた１スロットごとに２つのサービングセルのための２つのPIを含む下りリンク制御情報を監視する間、UEは、３つの内部の監視機会に第１のサービングセルのための１つのPIを含む下りリンク制御情報を監視する。この例において、UEが、第１のペイロードサイズを用いた下りリンク制御情報を受信した場合、第１のペイロードサイズを用いた下りリンク制御情報を受信するための制御リソースセットの最初のOFDMシンボルの前の、１つのSCS  60kHzスロット内のSCS  60kHzを用いた最後の
【数１】
2019140664.tif 000041
個のOFDMシンボルに第１のセルのためのPIが適用され、１つのSCS  15kHzスロット内の15kHzを用いた最後の
【数２】
2019140664.tif 000042
個のOFDMシンボルに第２のセルのためのPIが適用される。
【００６０】
さらに、UEが、第１のサービングセル上で第１のサービングセルのためのPIを示す第２のペイロードサイズを用いたDCIを受信した場合、第１のサービングセルのためのPIは、第２のペイロードサイズを用いた下りリンク制御情報を受信するための制御リソースセットの最初のOFDMシンボルの前の、１つのSCS  60kHz内のSCS  60kHzを用いた最後の
【数３】
2019140664.tif 000043
個のOFDMシンボルに適用されてよい。PDSCHが、第１のサービングセルにおけるSCS  60kHzを用いた最後の
【数４】
2019140664.tif 000044
個のOFDMシンボル内、及び／又は第２のサービングセルにおけるSCS  15kHzを用いた最後の
【数５】
2019140664.tif 000045
個のOFDMシンボル内で検出されない場合、UEは、第１のペイロードサイズを用いた下りリンク制御情報を監視するように求められなくてよい。さらに、PDSCHが、第１のサービングセルにおいてSCS  60kHzを用いた最後の
【数６】
2019140664.tif 000046
個のOFDMシンボル内で検出されない場合、UEは、第２のペイロードサイズを用いた下りリンク制御情報を監視するように求められなくてよい。
【００６１】
一実施例において、第１のテキスト提案は以下のとおり書くことができる：
〔外１１〕
2019140664.tif 000047
【００６２】
別の実施例において、第２のテキスト提案は以下のとおり書くことができる：
〔外１２〕
2019140664.tif 000048
【００６３】
さらなる実施例において、第１のテキスト提案は以下のとおり書くことができる：
〔外１３〕
2019140664.tif 000049
【００６４】
図１５は、UEの観点からの一例示的な実施例によるフローチャート1500である。ステップ1505において、UEが、UEが第１のサービングセル及び第２のサービングセルと通信する構成を受信する。ステップ1510において、UEが、第１のサービングセルにおいて下りリンク制御信号を監視するための周期性の構成を受信し、周期性は、第２のサービングセルの整数個のシンボルを含み、下りリンク制御信号は、第２のサービングセルのためのプリエンプション指示（PI）を含む。
【００６５】
一実施例において、UEは、周期性が第２のサービングセルの非整数個のシンボルを含むような構成を受信するように予期しなくてよい。第２のサービングセルのシンボル数は、第２のサービングセルのためのPIにより示されるシンボル数であり得る。さらに、又は別法として、周期性内の第２のサービングセルのシンボル数は、第２のサービングセルのアクティブ化された帯域幅部分（BWP）のサブキャリア間隔（SCS）に依存することができる。
【００６６】
一実施例において、第１のサービングセルが60KHzサブキャリア間隔を用いて構成され、第２のサービングセルが15KHzサブキャリア間隔を用いて構成される場合、UEは、第１のサービングセルにおいてDCIを受信するために２スロット又は４スロットの周期性を用いて基地局により構成されることができる。さらに、又は別法として、第１のサービングセルが60KHzサブキャリア間隔を用いて構成され、第２のサービングセルが15KHzサブキャリア間隔を用いて構成される場合、UEは、第１のサービングセルにおいてDCIを受信するために１スロットを用いた周期性の構成を受信するように予期しなくてよい。
【００６７】
一実施例において、下りリンク制御信号は、第１のサービングセルのためのPIを含むことができる。
【００６８】
図３及び図４を再び参照し、UEの一例示的な実施例において、デバイス300は、メモリ310に記憶されたプログラムコード312を含む。CPU308は、プログラムコード312を実行して、UEが（i）UEが第１のサービングセル及び第２のサービングセルと通信する構成を受信し、（ii）第１のサービングセルにおいて下りリンク制御信号を監視するための周期性の構成を受信する、ことを可能にすることができ、周期性は第２のサービングセルの整数個のシンボルを含み、下りリンク制御信号は第２のサービングセルのためのプリエンプション指示（PI）を含む。さらに、CPU308は、プログラムコード312を実行して、上記で説明された動作及びステップ又は本明細書で説明されるその他のすべてを実行することができる。
【００６９】
図１６は、基地局の一例示的な実施例によるフローチャート1600である。ステップ1605において、基地局が、第１のサービングセル及び第２のサービングセルを用いてUEを構成する。ステップ1610において、基地局が、第１のサービングセルにおいて下りリンク制御信号を監視するための周期性を用いてUEを構成し、基地局は、周期性が第２のサービングセルの非整数個のシンボルを含むようにUEを構成することを許容されず、下りリンク制御信号は、第２のサービングセルのためのプリエンプション指示（PI）を含む。
【００７０】
一実施例において、周期性内の第２のサービングセルのシンボル数は、第２のサービングセルのアクティブ化された帯域幅部分（BWP）のサブキャリア間隔（SCS）に依存することができる。
【００７１】
一実施例において、第１のサービングセルが60KHzサブキャリア間隔を用いて構成され、第２のサービングセルが15KHzサブキャリア間隔を用いて構成される場合、基地局は、第１のサービングセルにおいてDCIを受信するために２スロット又は４スロットの周期性を用いてUEを構成することができる。さらに、又は別法として、第１のサービングセルが60KHzサブキャリア間隔を用いて構成され、第２のサービングセルが15KHzサブキャリア間隔を用いて構成される場合、基地局は、第１のサービングセルにおいてDCIを受信するために１スロットを用いた周期性でUEを構成しなくてよい。
【００７２】
一実施例において、基地局が、第１のサービングセルにおいてDCIを受信するための周期性でUEを構成するとき、基地局は、周期性と第１のサービングセルとを併せて決定し、それにより、第２のサービングセルの整数個のシンボルが周期性内にある。さらに、又は別法として、基地局が、第１のサービングセルにおいてDCIを受信するための周期性でUEを構成するとき、基地局は、周期性と、第１のサービングセル及び第２のサービングセルについて構成されるサブキャリア間隔とを併せて決定し、それにより、第２のサービングセルの整数個のシンボルが周期性内にある。さらに、又は別法として、基地局が、第１のサービングセルにおいてDCIを受信するための周期性でUEを構成するとき、基地局は、周期性と、１つのサービングセルにおいて２つのPIを監視するようにUEを構成するかどうかとを併せて決定する。
【００７３】
一実施例において、下りリンク制御信号は、第１のサービングセルのためのPIを含むことができる。
【００７４】
図３及び図４を再び参照し、基地局の一例示的な実施例において、デバイス300は、メモリ310に記憶されたプログラムコード312を含む。CPU308は、プログラムコード312を実行して、基地局が（i）第１のサービングセル及び第２のサービングセルを用いてUEを構成し、（ii）第１のサービングセルにおいて下りリンク制御信号を監視するための周期性を用いてUEを構成する、ことを可能にすることができ、基地局は、周期性が第２のサービングセルの非整数個のシンボルを含むようにUEを構成することを許容されず、下りリンク制御信号は、第２のサービングセルのためのプリエンプション指示（PI）を含む。さらに、CPU308は、プログラムコード312を実行して、上記で説明された動作及びステップ又は本明細書で説明されるその他のすべてを実行することができる。
【００７５】
図１７は、UEの一例示的な実施例によるフローチャート1700である。ステップ1705において、UEが、サービングセルのセットを用いて構成される。ステップ1710において、UEが、セットの第１のセルにおいて下りリンク制御信号を監視するための周期性を用いて構成され、整数個のシンボルが周期性内にあり、下りリンク制御信号はサービングセルのセットのプリエンプション指示（PI）を含む。
【００７６】
図３及び図４を再び参照し、UEの一例示的な実施例において、デバイス300は、メモリ310に記憶されたプログラムコード312を含む。CPU308は、プログラムコード312を実行して、UEが（i）サービングセルのセットを用いて構成され、（ii）セットの第１のセルにおいて下りリンク制御信号を監視するための周期性を用いて構成される、ことを可能にすることができ、整数個のシンボルが周期性内にあり、下りリンク制御信号はサービングセルのセットのプリエンプション指示（PI）を含む。さらに、CPU308は、プログラムコード312を実行して、上記で説明された動作及びステップ又は本明細書で説明されるその他のすべてを実行することができる。
【００７７】
図１８は、ネットワークノードの一例示的な実施例によるフローチャート1800である。ステップ1805において、ネットワークノードが、サービングセルのセットを用いてUEを構成する。ステップ1810において、ネットワークノードが、セット内の第１のセルにおいて下りリンク制御信号を監視するための周期性を用いてUEを構成し、整数個のシンボルが周期性内にあり、下りリンク制御信号はサービングセルのセットのプリエンプション指示（PI）を含む。
【００７８】
図３及び図４を再び参照し、ネットワークノードの一例示的な実施例において、デバイス300は、メモリ310に記憶されたプログラムコード312を含む。CPU308は、プログラムコード312を実行して、ネットワークノードが（i）サービングセルのセットを用いてUEを構成し、（ii）セット内の第１のセルにおいて下りリンク制御信号を監視するための周期性を用いてUEを構成する、ことを可能にすることができ、整数個のシンボルが周期性内にあり、下りリンク制御信号はサービングセルのセットのプリエンプション指示（PI）を含む。さらに、CPU308は、プログラムコード312を実行して、上記で説明された動作及びステップ又は本明細書で説明されるその他のすべてを実行することができる。
【００７９】
図１７及び図１８に示され、上記テキストで説明される実施例の文脈において、一実施例において、UEは、シンボルの一部が周期性内であることを扱うように予期されなくてよい。ネットワークノードは、周期性が非整数個のシンボルを含むようにUEを構成することを許容されなくてよい。さらに、又は別法として、UEは、セットのセルにおける少なくとも１つの下りリンク帯域幅部分を用いて構成されてよい。さらに、又は別法として、UEは、下りリンクBWPについて構成されたサブキャリア間隔及びサイクリックプレフィクス（CP）長に従い、セットのセルにおける下りリンクBWPにおいて下りリンク信号を受信することができる。
【００８０】
一実施例において、セルの下りリンクBWPにおけるシンボル持続時間が、下りリンクBWPについて構成されたサブキャリア間隔及びサイクリックプレフィクス長に基づき決定される。さらに、又は別法として、１つのPIが14ビットを有することができる。さらに、又は別法として、周期性は１又は２又は４スロットであり得、ここで、スロットの持続時間は第１のセルにおける下りリンクBWPのSCS及び／又はCP長に依存する。
【００８１】
一実施例において、通常サイクリックプレフィクスを用いたスロットは14シンボルを有することができる。拡張サイクリックプレフィクスを用いたスロットは12シンボルを有することができる。
【００８２】
一実施例において、第１のサービングセルは、より大きいSCSを用いた下りリンクBWPを有することができる。
【００８３】
図１９は、UEの一例示的な実施例によるフローチャート1900である。ステップ1905において、UEが、シンボルのセットを含む周期のためのプリエンプション指示（PI）を受信する。一実施例において、周期は、下りリンク制御情報の監視周期性であり得る。
【００８４】
ステップ1910において、UEが、シンボルのセットの中のシンボルを無視し、該シンボルは、周期中に部分的シンボル持続時間を有する。一実施例において、UEは、サービングセルのセットを用いて構成されることができ、PIは、サービングセルのセットの中の１つのサービングセルに関する。PIは、下りリンク制御情報において送信されることができる。さらに、又は別法として、周期は、UEに対して１、２、又は４スロットとして構成されることができる。
【００８５】
一実施例において、UEは、毎周期中に第１のセルにおいて下りリンク制御情報を監視することができる。第１のセルにおけるアクティブ化された帯域幅部分のサブキャリア間隔（SCS）は60kHzである。UEが、SCS  60kHzを用いた１スロットごとに第１のセルにおいて下りリンク制御情報を監視する場合、第２のサービングセルにおけるアクティブ化されたBWPのSCSが15kHzであるとき、周期は3.5シンボルを含み、PIは、第２のサービングセルに適用されることができる。
【００８６】
一実施例において、UEは、サービングセルのセットの第１のセルにおいて下りリンク制御情報を受信するように構成されることができる。下りリンク制御情報は、サービングセルのセットのための少なくとも１つのPIを含むことができる。さらに、又は別法として、下りリンク制御情報は、DCIフォーマット2_1であり得る。
【００８７】
図３及び図４を再び参照し、UEの一例示的な実施例において、デバイス300は、メモリ310に記憶されたプログラムコード312を含む。CPU308は、プログラムコード312を実行して、UEが（i）シンボルのセットを含む周期のためのプリエンプション指示（PI）を受信し、（ii）セットの中のシンボルを無視する、ことを可能にすることができ、該シンボルは、周期中に部分的シンボル持続時間を有する。さらに、CPU308は、プログラムコード312を実行して、上記で説明された動作及びステップ又は本明細書で説明されるその他のすべてを実行することができる。
【００８８】
図２０は、UEの一例示的な実施例によるフローチャート2000である。ステップ2005において、UEが、シンボルのセットを含む周期のためのプリエンプション指示（PI）を受信する。ステップ2010において、UEが、シンボルのセットの中のシンボルを、該シンボルが周期中の最後のシンボルである場合、無視し、該シンボルは、周期中に部分的シンボル持続時間を有する。
【００８９】
一実施例において、シンボルが周期中の最後のシンボルである場合、UEは、該シンボルをシンボルのセットの中に追加することができる。さらに、UEは、サービングセルのセットを用いて構成されることができ、PIは、サービングセルのセットの中の１つのサービングセルに関する。PIは、下りリンク制御情報において送信される。
【００９０】
一実施例において、UEは、サービングセルのセットの第１のセルにおいて下りリンク制御情報を受信するように構成されることができる。下りリンク制御情報は、サービングセルのセットのための少なくとも１つのPIを含むことができる。下りリンク制御情報は、さらに、DCIフォーマット2_1であり得る。
【００９１】
一実施例において、周期は、下りリンク制御情報の監視周期性であり得る。さらに、周期は、UEに対して１、２、又は４スロットとして構成されることができる。
【００９２】
一実施例において、UEは、毎周期中に第１のセルにおいて下りリンク制御情報を監視することができる。さらに、第１のセルにおけるBWPのSCSは60kHzであり得る。UEが、SCS  60kHzを用いた１スロットごとに第１のセルにおいて下りリンク制御情報を監視する場合、第２のサービングセルにおけるアクティブ化されたBWPのSCSが15kHzであるとき、周期は3.5シンボルを含むことができ、PIは、第２のサービングセルに適用される。
【００９３】
図３及び図４を再び参照し、UEの一例示的な実施例において、デバイス300は、メモリ310に記憶されたプログラムコード312を含む。CPU308は、プログラムコード312を実行して、UEが（i）シンボルのセットを含む周期のためのプリエンプション指示（PI）を受信し、（ii）セットの中のシンボルを、該シンボルが周期中の最後のシンボルである場合、無視する、ことを可能にすることができ、該シンボルは、周期中に部分的シンボル持続時間を有する。さらに、CPU308は、プログラムコード312を実行して、上記で説明された動作及びステップ又は本明細書で説明されるその他のすべてを実行することができる。
【００９４】
開示の様々な態様が上記で説明された。本明細書における教示は多種多様の形式で具現化されてよく、本明細書に開示されるいずれの特定の構造、機能、又は双方も単に代表であることが明らかであるべきである。本明細書における教示に基づき、当業者は、本明細書に開示される態様が任意の他の態様から独立して実現されてよいこと、及びこれら態様のうち２つ以上が様々な方法で組み合わせられてよいことを十分理解するべきである。例えば、本明細書に明記される態様のうち任意数を使用して、装置が実現されてよく、方法が実施されてよい。さらに、本明細書に明記される態様の１つ以上に追加で、又は該１つ以上以外の、他の構造、機能性、又は構造及び機能性を使用して、装置が実現されてよく、あるいは方法が実施されてよい。上記概念のうちいくつかについての一例として、いくつかの態様において、同時チャネルが、パルス繰り返し周波数に基づき確立されてよい。いくつかの態様において、同時チャネルが、パルス位置又はオフセットに基づき確立されてよい。いくつかの態様において、同時チャネルが、時間ホッピングシーケンスに基づき確立されてよい。いくつかの態様において、同時チャネルが、パルス繰り返し周波数、パルス位置又はオフセット、及び時間ホッピングシーケンスに基づき確立されてよい。
【００９５】
当業者は、情報及び信号が様々な異なる技術及び手法のうち任意のものを使用して表現され得ることを理解するであろう。例えば、上記説明全体を通して参照され得るデータ、命令、コマンド、情報、信号、ビット、シンボル、及びチップは、電圧、電流、電磁波、磁場若しくは磁性粒子、光学場若しくは光学粒子、又はこれらの任意の組み合わせにより表現されてよい。
【００９６】
当業者はさらに、本明細書に開示される態様と関連して説明される様々な例示的な論理ブロック、モジュール、プロセッサ、手段、回路、及びアルゴリズムステップが、電子ハードウェア（例えば、デジタル実装、アナログ実装、又はその２つの組み合わせであり、これはソースコーディング又は何らかの他の手法を使用して設計され得る）、命令を組み入れた様々な形式のプログラム又は設計コード（これは本明細書において簡便さのため「ソフトウェア」又は「ソフトウェアモジュール」と呼ばれることがある）、又は双方の組み合わせとして実現されてよいことを十分理解するであろう。このハードウェア及びソフトウェアの可換性を明確に示すために、様々な例示的なコンポーネント、ブロック、モジュール、回路、及びステップが、一般にその機能性の観点で上記で説明された。こうした機能性がハードウェアとして実現されるか又はソフトウェアとして実現されるかは、全体システムに課される具体的な適用及び設計制約に依存する。当業者は、各々の具体的な適用について様々な方法で説明された機能性を実現してよく、しかしこうした実現判断は、本開示の範囲からの逸脱を引き起こすものと解釈されるべきでない。
【００９７】
さらに、本明細書に開示される態様に関連して説明される様々な例示的な論理ブロック、モジュール、及び回路は、集積回路（「IC」）、アクセス端末、又はアクセスポイント内で実現され、あるいはこれらにより実行されてよい。ICは、汎用目的プロセッサ、デジタル信号プロセッサ（DSP）、特定用途向け集積回路（ASIC）、フィールドプログラマブルゲートアレイ（FPGA）若しくは他のプログラム可能論理デバイス、ディスクリートゲート若しくはトランジスタ論理、ディスクリートハードウェアコンポーネント、電子コンポーネント、光学コンポーネント、機械コンポーネント、又は本明細書に説明される機能を実行するように設計されたこれらの任意の組み合わせを含んでよく、IC内、ICの外部、又は双方に存在するコード又は命令を実行してよい。汎用目的プロセッサは、マイクロプロセッサでよく、しかし代替的に、プロセッサは、任意の従来のプロセッサ、コントローラ、マイクロコントローラ、又はステートマシンでもよい。プロセッサは、さらに、コンピューティングデバイスの組み合わせ、例えば、DSPとマイクロプロセッサとの組み合わせ、複数のマイクロプロセッサ、DSPコアと関連した１つ以上のマイクロプロセッサ、又は任意の他のこうした構成として実現されてもよい。
【００９８】
いずれの開示されたプロセスの中のステップのいずれの特定の順序又は階層もサンプルアプローチの例であることが理解される。設計の好みに基づき、プロセスの中のステップの特定の順序又は階層は本開示の範囲内にとどまりながら再配置され得ることが理解される。別記の方法クレームは、サンプル順序における様々なステップの要素を提示し、提示される特定の順序又は階層に限定されるようには意図されない。
【００９９】
本明細書に開示される態様に関連して説明される方法又はアルゴリズムのステップは、直接ハードウェアで、プロセッサにより実行されるソフトウェアモジュールで、又はその２つの組み合わせで具現化されてよい。ソフトウェアモジュール（例えば、実行可能命令及び関連したデータを含む）及び他のデータが、RAMメモリ、フラッシュメモリ、ROMメモリ、EPROMメモリ、EEPROMメモリ、レジスタ、ハードディスク、取外し可能ディスク、CD-ROM、又は当分野において知られる任意の他の形式のコンピュータ読取可能記憶媒体などのデータメモリに存在してよい。サンプル記憶媒体が、例えば、コンピュータ／プロセッサ（これは本明細書において簡便さのため「プロセッサ」と呼ばれることがある）などのマシンに結合されてよく、それにより、プロセッサは記憶媒体から情報（例えば、コード）を読み出し、記憶媒体に情報を書き込むことができる。サンプル記憶媒体がプロセッサに対して一体的でもよい。プロセッサ及び記憶媒体はASICの中に存在してもよい。ASICは、ユーザ機器の中に存在してもよい。代替的に、プロセッサ及び記憶媒体は、ユーザ機器の中にディスクリートコンポーネントとして存在してもよい。さらに、いくつかの態様において、任意の適切なコンピュータプログラム製品が、開示の態様の１つ以上に関連するコードを含むコンピュータ読取可能媒体を含んでよい。いくつかの態様において、コンピュータプログラム製品がパッケージング材料を含んでよい。
【０１００】
発明が様々な態様に関連して説明されたが、発明はさらなる変更が可能であることが理解されるであろう。本出願は、一般に発明の原理に従い、かつ発明が属する分野において既知及び慣習的な実施の範囲内に入るような本開示からの逸脱を含む発明のいかなる変形、使用、又は適応もカバーするように意図される。
【図１】
2019140664.tif 000050
【図２】
2019140664.tif 000051
【図３】
2019140664.tif 000052
【図４】
2019140664.tif 000053
【図５】
2019140664.tif 000054
【図６】
2019140664.tif 000055
【図７】
2019140664.tif 000056
【図８】
2019140664.tif 000057
【図９】
2019140664.tif 000058
【図１０】
2019140664.tif 000059
【図１１】
2019140664.tif 000060
【図１２】
2019140664.tif 000061
【図１３】
2019140664.tif 000062
【図１４】
2019140664.tif 000063
【図１５】
2019140664.tif 000064
【図１６】
2019140664.tif 000065
【図１７】
2019140664.tif 000066
【図１８】
2019140664.tif 000067
【図１９】
2019140664.tif 000068
【図２０】
2019140664.tif 000069
【外国語明細書】
2019140664000001.pdf